(57)【要約】      （修正有）【課題】記録媒体をプラテンに吸着させる吸引孔を備え、外気を取り入れ、その外気をプラテンの吸引孔から吸引し、外部に排気すると、プラテンを加熱する熱を奪い、冷却してしまうことによる電力消費が多くなる事を防ぐことができるインクジェットプリンターを提供する。【解決手段】プラテン６の吸引孔から吸引した空気を、フィルター１６を通してミストを除去した後、空気ヒーター１８、１９で適度に加熱して、プラテンの記録媒体２５の搬送方向の上流側で、プラテンより高い位置からプラテンに向かって吹き付ける。【選択図】図１
2015136859.tif 000002
【特許請求の範囲】
【請求項１】
複数のノズルを有し、該ノズルから記録媒体にインクを吐出する記録ヘッドと、
前記記録ヘッドを搭載して前記記録媒体の搬送方向に対して交差する方向に往復移動するキャリッジと、
前記キャリッジの下面側に対向して配置され前記記録媒体を保持するプラテンと、
前記記録媒体を加熱する記録媒体加熱手段と、
前記プラテンに設けられた吸引孔と、
前記吸引孔から空気を吸引する吸引ファンと、
前記記録媒体を搬送する搬送手段と、
前記吸引ファンによって前記吸引孔から吸引された空気を筐体内に排出する排出口と、
前記吸引孔から吸引された空気を前記排出口へ導くダクトと、
を有するインクジェットプリンターにおいて、
前記筐体外の空気を吸引する外気吸入手段と、
前記吸引ファンによって前記吸引孔から吸引された空気を筐体外に排出する排気手段と、
前記吸引ファンによって前記吸引孔から吸引された空気を前記排出口に供給するか、前記吸引ファンによって前記吸引孔から吸引された空気を前記排気手段から前記筐体外に排出するか、を切換える切換手段と、
を備えることを特徴とするインクジェットプリンター。
【請求項２】
前記ダクトの途中に配置され、前記排出口から排出される空気を加熱する空気ヒーターを備えることを特徴とする請求項１に記載のインクジェットプリンター。
【請求項３】
前記ダクトの途中であって前記空気ヒーターより上流側に配置され、前記吸引孔から吸引された前記空気を通過させ、前記記録ヘッドから飛散するインクミストを捕捉するフィルターを備えることを特徴とする請求項２に記載のインクジェットプリンター。
【請求項４】
前記筐体内の温度を測定する温度測定手段と、
前記温度測定手段によって取得した前記筐体内の温度が第１の所定の温度以上の場合は、前記外気吸入手段によって吸気された前記空気を前記排出口から排出させるように前記切換え手段を制御し、前記温度測定手段によって取得した前記筐体内の温度が前記第１の所定の温度未満の場合は、前記吸引孔から吸引された前記空気を前記排出口から排出させるように前記切換え手段を制御する制御手段と、をさらに備えることを特徴とする請求項１から請求項３の何れか１項に記載のインクジェットプリンター。
【請求項５】
前記制御手段は、さらに前記空気ヒーターのオンとオフを制御し、
前記温度測定手段によって取得した前記筐体内の温度が第１の所定の温度未満であって第２の所定の温度以上の場合は、前記空気ヒーターをオフする制御をし、
前記温度測定手段によって取得した前記筐体内の温度が第１の所定の温度未満であって前記第２の所定の温度未満の場合は、前記空気ヒーターをオンする制御をすることを特徴とする請求項４に記載のインクジェットプリンター。
【請求項６】
前記搬送手段は前記搬送方向に対して直角の方向に沿って複数のローラーを備え、隣り合う前記ローラー間に前記排出口が配置されていることを特徴とする請求項１から請求項５の何れか１項に記載のインクジェットプリンター。
【請求項７】
前記排出口は、先端に向かい漸次細く形成され、該排出口から排出される前記空気は前記プラテンに向かって排出され、夫々の前記排出口に前記ダクトが分岐して接続されていることを特徴とする請求項１から請求項６の何れか１項に記載のインクジェットプリンター。
【発明の詳細な説明】
【技術分野】
【０００１】
本発明は、インクジェットプリンターに関する。
【背景技術】
【０００２】
記録紙、樹脂フィルムなどの記録媒体にインクを吐出して画像等を記録するインクジェットプリンターが広く知られている。インクジェットプリンターでは、例えば、主溶剤に有機溶剤を用いた溶剤インク、紫外線によって硬化する紫外線硬化型インク、熱によって硬化する熱硬化型インクなど、用途に応じていろいろな種類のインクが用いられている。
【０００３】
また、印刷後の印刷面を保護するためのラミネートや、印刷後に所望にサイズに切断するなど、次の作業工程に素早く移りたいという要望があり、インクを早く乾燥させる必要がある。これら要望に対して、紫外線硬化型インク、熱硬化型インクなどインクの特性によって解決する方法が考えられている。
【０００４】
一方では、有機溶剤を使用しているインクは、塩化ビニルフィルムなどの樹脂フィルムに対して定着性が良く、摩耗に対して強い記録物が得られるなど利点がある。よって、この種のインクも乾燥性を良くすることが望まれている。そこで、記録媒体を適度に加熱した状態でインクを吐出し、記録媒体に画像を記録後に溶剤を素早く乾燥させる手段がとられている。例えば、プラテン、プラテンの前段のペーパーガイド、プラテン後段のペーパーガイド等を加熱し、それらの上を記録媒体が搬送されることで乾燥性を確保している。
【０００５】
また、インクジェトプリンターでは、高画質に記録することが望まれている。そのため、印刷面を平坦に保ち、インクの着弾精度を落とさずに記録する必要がある。例えば、平板プラテンに吸着手段を設け、記録媒体を平板プラテンに吸着させることで印刷面を平坦に保っている。吸着手段には、プラテンに設けられた吸引孔から吸引ファンによって空気を吸引し、その空気を筐体外に排出してプラテンに記録媒体を吸着させるものがある。また、例えば、特開２０１０−２０１６８１号公報に記載の吸着手段では、プラテンに設けられた吸引孔から吸引ファンで空気を吸う構成となっているが、吸引ファンで吸引された空気は筐体外には排出せずに、筐体内に戻す構成となっている。
【先行技術文献】
【特許文献】
【０００６】
【特許文献１】特開２０１０−２０１６８１号公報
【発明の概要】
【発明が解決しようとする課題】
【０００７】
インクジェットヘッドからインクを吐出する場合に、インクが記録媒体に付着せずに、超微小滴となって舞ってしまい、インクミストが発生することがある。インクミストは記録媒体に付着すると画質に悪影響を及ぼすので筐体外に排出したほうが高画質となる。吸着手段によって筐体外に空気を排気すると、筐体内の気圧がさがり、筐体外の空気が隙間から流入することになる。そのため、筐体内の温度は下がる方向に作用する。また、記録媒体が覆っていない部分のプラテンの吸引孔は、空気の流れが速いので、吸引孔付近のプラテンの温度低下が著しい。温度低下に抗してプラテンを一定の温度に保つためには、その分だけ余分にプラテンヒーターに電力をかける必要がある。また、加熱温度が一定しない場合もある。
【０００８】
一方、筐体外に排気せずに筐体内に空気を戻す場合は、インクミストによる画質の悪化が問題となる。また、記録媒体が覆っていない部分のプラテンの吸引孔は、空気の流れが速いので、吸引孔付近のプラテンの温度低下が著しい。また、筐体内で空気を循環させるので、循環する空気を冷却させなければ、温度が上がり過ぎる場合も有り、温度コントロールが難しいという問題もある。プラテンの温度は適度に加熱する必要があるが、例えば記録ヘッドなど、部品によっては高温の状態に保つことが望まれない部品もある。また、プラテンが冷やされる場合に、プラテン裏に配置されているヒーターが消費する電力が増えてしまうこと、またプラテンを適温に加熱するまでに時間がかかり過ぎること、プラテンの位置によって温度の違いがある場合はインクの定着に差が生じ画質の悪化の原因となることなどの問題も生じる。
【課題を解決するための手段】
【０００９】
本願発明のインクジェットプリンターは、複数のノズルを有し、該ノズルから記録媒体にインクを吐出する記録ヘッドと、前記記録ヘッドを搭載して前記記録媒体の搬送方向に対して交差する方向に往復移動するキャリッジと、前記キャリッジの下面側に対向して配置され前記記録媒体を保持するプラテンと、前記記録媒体を加熱する記録媒体加熱手段と、前記プラテンに設けられた吸引孔と、前記吸引孔から空気を吸引する吸引ファンと、前記記録媒体を搬送する搬送手段と、前記吸引ファンによって前記吸引孔から吸引された空気を筐体内に排出する排出口と、前記吸引孔から吸引された空気を前記排出口へ導くダクトと、を有するインクジェットプリンターにおいて、前記筐体外の空気を吸引する外気吸入手段と、前記吸引ファンによって前記吸引孔から吸引された空気を筐体外に排出する排気手段と、前記吸引ファンによって前記吸引孔から吸引された空気を前記排出口に供給するか、前記吸引ファンによって前記吸引孔から吸引された空気を前記排気手段から前記筐体外に排出するか、を切換える切換手段と、を備えることを特徴とする。
【発明の効果】
【００１０】
インクジェットプリンターの筐体内の温度の低下を抑制し、記録媒体を加熱するヒーターへ供給する電力を省電力化でき、また筐体内を所定温度まで上昇させるための時間を短縮でき、プラテンの温度の均一化を図れる。
【図面の簡単な説明】
【００１１】
【図１】図１は、インクジェットプリンター内の気体の流れの一例を説明する図である。
【図２】図２は、インクジェットプリンターの一例の側面側からの断面図である。
【図３】図３は、インクジェットプリンター内の気体の流れの他の例を説明する図である。
【図４】図４は、インクジェットプリンターの他の例の側面側からの断面図である。
【図５】図５は、インクジェットプリンターのブロック図である。
【図６】図６は、インクジェットプリンターの動作を説明するフローチャートである。
【図７】図７は、インクジェットプリンターの空気の循環の一例を説明する図である。
【図８】図８は、インクジェットプリンターの外観図である。
【発明を実施するための形態】
【００１２】
図面を用いて、本発明の実施形態を説明する。図１は、インクジェットプリンター内の気体の流れの一例を説明する図である。また、図２は、インクジェットプリンターの一例の側面側からの断面図である。これらの図を用い、インクジェットプリンター１の一例の概略の構成と共に空気の流れを説明する。
【００１３】
筐体２はインクジェットプリンター１の外装を構成する。記録ヘッド５はインクを吐出するインクジェットヘッドである。この記録ヘッド５はキャリッジ４に搭載され、記録媒体２５の上側を往復走査する。記録ヘッド５と記録媒体２５の間隔は約２ｍｍである。記録ヘッド５は、ブラック、シアン、マゼンタ、イエローの４色夫々のインクに対応する４台がキャリッジ４に搭載されている。記録媒体２５にカラーの画像を記録できる。インク色は５色以上でもよく、その場合はインク色数に応じた記録ヘッド５が必要である。記録媒体２５は、平板のプラテン６に吸着されながら搬送される。プラテン６上に支持された記録媒体２５に記録ヘッド５からインクを吐出して画像を記録する。記録ヘッド５は１インチ当たり１８０のノズルが配置され、１つの記録ヘッド５に約５００のノズルが設けられている。プラテン６は、各ノズルから記録媒体２５までの距離を等しくするために、ノズルの配置された幅以上の部分が平板となっている。
【００１４】
キャリッジ４は、直線状のレールであるレール３に案内されて、記録媒体２５の搬送方向に対して交差する方向に往復走査する。この例では直角方向である。キャリッジ４は、ベルト７に固定されている。ベルト７はモーター８及びプーリー９に掛け回されている。モーター８の駆動によりレール３に沿って往復走査する。キャリッジ４の位置は、キャリッジ４の移動方向に沿って配置されたリニアスケール１０をエンコーダー２６によって検出することで位置を検出できる。
【００１５】
プラテン６には、複数の吸引孔が設けられ、プラテン６の下部にあるプラテン下ダクト１１に連通している。プラテン下ダクト１１は吸引ファン１７に接続され、吸引ファン１７よって吸引孔から空気を吸引する。また、筐体２内から吸い込まれたインクミストは、フィルター１６によって除去される。フィルター１６は、吸引孔から吸引ファン１７の経路の間に配置されている。フィルター１６及び吸引ファン１７はプラテン６の両端側に配置されている。吸引された空気はダクト１２及び１３を通り、ノズル２４から排気される。切換手段１４はプラテン６の一方側に、切換手段１５はプラテン６の他方側に配置されている。切換手段１４、切換手段１５は夫々ダクト１２、ダクト１３に接続されている。切換手段１４、切換手段１５からノズル２４の間に加熱手段１８、加熱手段１９が配置され、ダクト１２、１３に流れる空気を加熱する。
【００１６】
切換手段１４は、プラテン６側から吸入された空気をダクト１２側へ排気するか、排気手段２１側から排気するか制御する。このとき、排気手段２１側から排気した場合に、外気吸入手段２０から空気を吸引して、ダクト１２側へ排気する制御をする。切換手段１５は、プラテン６側から吸入された空気をダクト１３側へ排気するか、排気手段２３側から排気するか制御する。このとき、排気手段２３側から排気した場合に、外気吸入手段２２から空気を吸引して、ダクト１３側へ排気する制御をする。このように、筐体２内の空気を循環させるか、外部から新たに空気を取り入れるかを切換えできる。また、外気吸入手段２２はファンによって強制的に空気を取り入れるものが好ましいが、筐体２外に空気を排気するので、気圧差で筐体２内に取り入れる物であっても良い。
【００１７】
プラテン６上には記録媒体２５が吸着されているが、記録媒体２５が覆っていないプラテン６の吸引孔から筐体２内の空気が吸われることになる。この吸われている部分の空気の流れが速く、プラテン６の温度低下の原因となっている。吸われた空気は、プラテン６の下部を通り、吸引ファン１７によって両側に向かって流れる。プラテン６が冷め過ぎないように、加熱手段１８、１９によって空気を加熱し、ノズル２４から吹出す。外部からの冷たい空気ではなく、温められた空気を循環させることによってプラテン６の温度低下を防止する。
【００１８】
プラテン６の記録媒体２５の搬送方向の前後にはフロントペーパーガイド２９とリアペーパーガイド２８が配置されている。記録媒体２５は、リアペーパーガイド２８、プラテン６、フロントペーパーガイド２９の順に案内され、搬送される。リアペーパーガイド２８とプラテン６の間には、プラテン６に沿って複数の搬送ローラー２７が一定間隔で配置されている。搬送ローラー２７は、駆動ローラーとそれに押圧されたピンチローラーの対になったローラーで構成され、２つのローラーによって挟持され、駆動ローラーの回転によって記録媒体２５が搬送される。また、図１のように、ノズル２４はプラテン６に沿って幅方向全体にノズル２４が設けられていても良いが、搬送ローラー２７に向かって空気を吹き出すと気流が乱れるので、搬送ローラー２７同士の間に、プラテン方向に向けてノズルを配置しても良い。また、筐体２には、扉３０が備わり、扉３０の先端はフロントペーパーガイド２９に対向し、その間を通り記録媒体２５が排出される。
【００１９】
筐体２は密閉された空間ではなく、記録媒体２５等が通るための隙間、メンテナンス等で必要な隙間などが設けられている。それらの隙間から空気の出入りがあるが、隙間を狭くするなどして、空気の出入りを抑制している。
【００２０】
図３は、インクジェットプリンター内の気体の流れの他の例を説明する図である。図４は、インクジェットプリンターの他の例の側面側からの断面図である。これらを用いて別の構成の例を説明する。プラテン６は５つのブロックに分かれ、夫々に吸引ファン１７が設けられている。夫々のブロックは、第１吸引ブロック３４、第２吸引ブロック３５、第３吸引ブロック３６、第４吸引ブロック３７、第５吸引ブロック３８である。吸引ファン１７によって、ブロック毎に吸引される。ブロックに分けることで、記録媒体２５によって吸引孔３３が全て塞がれている場合は、そのブロックには強い吸引力が働き、記録媒体２５のズレを防止できる。また、一部の吸引孔３３が塞がれないブロックは、吸引力は弱まるが、記録媒体２５を吸引し、ズレを防止する。このブロックの吸引孔３３から空気が吸い込まれるので、この部分のプラテン６の温度低下が大きくなる傾向にある。
【００２１】
各吸引ブロック３４〜３８から吸引ファン１７によって吸われた空気は、プラテン下ダクト１１に送り込まれる。筐体２内から吸い込まれたインクミストは、フィルター１６によって除去される。切換手段１４はプラテン６の一方側に、切換手段１５はプラテン６の他方側に配置されている。切換手段１４、切換手段１５は夫々ダクト１２、ダクト１３に接続されている。切換手段１４、切換手段１５からノズル２４の間に加熱手段１８、加熱手段１９が配置され、ダクト１２、１３に流れる空気を加熱する。切換手段１４は、プラテン６側から吸入された空気をダクト１２側へ排気するか、排気手段２１側から排気するか制御する。このとき、排気手段２１側から排気した場合に、外気吸入手段２０から空気を吸引して、ダクト１２側へ排気する制御をする。切換手段１５は、プラテン６側から吸入された空気をダクト１３側へ排気するか、排気手段２３側から排気するか制御する。このとき、排気手段２３側から排気した場合に、外気吸入手段２２から空気を吸引して、ダクト１３側へ排気する制御をする。このように、筐体２内の空気を循環させるか、外部から新たに空気を取り入れるかを切換えできる。ノズル３１およびノズル３２は、上方に向けられ、筐体２内に再び空気を送り込む。空気は、筐体２内を扉方向から、上方、後方、下方、扉方向の順に循環するように流れ、一部は吸引孔３３から吸い込まれる。
【００２２】
また、この例では、記録媒体２５を加熱するのに、ヒーター４０を用いる。ヒーター４０は、記録媒体２５に対向する上方に設けられ、上部から加熱する。リフレクター３９は効率よく赤外線を記録媒体２５に照射するために設けられている。空気を循環させることで、外部から冷たい空気が大量に入ることを防止できるので、筐体内の温度低下、およびプラテン６の温度低下を防止できる。
【００２３】
また、記録媒体２５が通らないブロックについては、吸引ファン１７の吸引を停止させ、吸引孔３３からの空気の吸引量を低下させることによって、プラテン６の温度低下を防止することもできる。これは、吸引ファン１７を個別に後述の制御回路によって回転を制御し、セットされる記録媒体２５の幅から、記録媒体２５の係らないブロックに関しての吸引ファン１７の動作を停止させる制御をすることで実現できる。
【００２４】
図５は、インクジェットプリンターのブロック図である。制御回路４１はインクジェットプリンター１の全体の制御を司る制御回路である。Ｉ／Ｆ４２は外部装置とのインターフェースである。例えば、ホストＰＣと接続し、画像データ等のデータを入力する。記録手段４３は、記録ヘッド５、記録ヘッド５を記録媒体２５の幅方向に往復走査させる機構、記録媒体２５を搬送する機構を含み、記録媒体２５に画像を記録する手段である。
【００２５】
ＲＯＭ４４は、不揮発性メモリーであり、インクジェットプリンター１を制御するプリグラム、初期設定値などを記憶する。制御回路４１はこのプログラムに従って動作する。ＲＡＭ４５は、制御回路４１のワークメモリー、データの一時記憶などに使うメモリーである。
【００２６】
温度検出手段４６は、筐体２内に配置され、温度を検出する温度センサーである。検出結果は制御回路４１に出力する。プラテン加熱手段４７はプラテン６の裏面に配置されたヒーターまたは、プラテン６に対向する位置に配置されたヒーターであり、記録媒体２５も加熱する。このヒーターに電力を加えることで発熱させ、プラテン６を所望の温度に加熱する。プラテン加熱手段４７は制御回路４１によって制御される。プラテン吸引手段４８は制御回路４１によって制御される。プラテン吸引手段４８は吸引ファン１７を含み、プラテン６の吸引孔３３から空気を吸引する。エアー加熱手段４９は制御回路４１によって制御される。エアー加熱手段４９は加熱手段１８、１９を含み、ダクト１２、１３へ送る空気を加熱するヒーターである。外気取込手段５０は制御回路４１によって制御される。外気取込手段５０は外気吸入手段２０、２２、排気手段２１、２３を含み、筐体２外から空気を吸入しダクト１２、１３へ供給すると共に、プラテン６側から吸入した筐体２内の空気を筐体２外へ排出する。ダクト切換手段５１は制御回路４１によって制御される。ダクト切換手段５１は切換手段１４、１５を含み、プラテン６の吸引孔３３から吸った空気をダクト１２、１３へ供給するか、プラテン６の吸引孔３３から吸った空気を筐体２外へ排出し、筐体２外から空気を取り入れてダクト１２、１３へ供給するかを切換える。すなわち、筐体２内の空気を循環させるか、筐体２外から空気を取り入れるかを選択できる。筐体２外から空気を取り入れた場合は、筐体２の隙間などから空気が排出されることになる。
【００２７】
図６は、インクジェットプリンターの動作を説明するフローチャートである。まずステップＳ１では、温度検出手段４６で筐体２内の温度を検出する。次にステップＳ２では、検出した温度が第一の所定の温度以上か否かを判断する。第一の所定の温度以上ならばステップＳ３に移行し、第一の所定の温度未満ならばステップＳ５へ移行する。
【００２８】
ステップＳ３では、ダクト切換手段５１を制御して、プラテン６から吸引した空気を筐体２外へ排気手段２１、２３を介して排出すると共に、外気吸入手段２０、２２を介して筐体２外の空気を吸気し、ダクト１２、１３へ供給する。筐体２内の温度が高すぎた場合に、外気を取り入れ筐体２内を冷やす。さらに、ステップＳ４では、エアー加熱手段４９を制御して加熱手段１８、１９のヒーターをＯＦＦして、吸入した外気を加熱せずにノズル２４あるいはノズル３１、３２から排出する。
【００２９】
ステップＳ５では、ダクト切換手段５１を制御して、プラテン６から吸引した空気をダクト１２、１３へ供給する。そして、ステップＳ６に移行する。
ステップＳ６では、第二所定の温度以上か否かを判断する。第二の所定の温度以上ならばステップＳ７に移行し、第二の所定の温度未満ならばステップＳ８へ移行する。筐体２内の空気を循環させる場合に、吸入した空気を加熱してノズル２４あるいはノズル３１、３２から排出するか、加熱せずにノズル２４あるいはノズル３１、３２から排出する。ある温度未満ならば、積極的に加熱して暖かくする必要がある。また、ある温度以上ならば、加熱させずに循環させる。
【００３０】
ステップＳ７では、エアー加熱手段４９を制御して加熱手段１８、１９のヒーターをＯＦＦして、吸入した空気を加熱せずにノズル２４あるいはノズル３１、３２から排出する。ステップＳ８では、エアー加熱手段４９を制御して加熱手段１８、１９のヒーターをＯＮして、吸入した空気を加熱してノズル２４あるいはノズル３１、３２から排出する。
【００３１】
第一の所定の温度、第二の所定の温度の値は予めＲＯＭ３３に記憶されている。実験等により予め決められた温度である。第一の所定の温度は、機器の誤動作を予防するための温度であり、第二の所定の温度は、プラテン６を冷やし過ぎないようにする温度である。例えば、第一の所定の温度を４５℃に設定し、第二の所定の温度を４０℃に設定する。４０℃未満になったら積極的に加熱し、４５℃以上になったら積極的に冷却し、４０〜４５℃の間に温度を保つようにしている。
【００３２】
また、上述の空気の温度制御とは別に、プラテン６、リアペーパーガイド２８、フロントペーパーガイド２９には夫々ヒーターと温度センサーが設けられ、夫々が適温の所定の温度に維持できるように制御回路４１が制御している。
【００３３】
図７は、インクジェットプリンターの一例の空気の循環を説明する図である。プラテン６には、吸引孔３３が複数配置されている。この吸引孔３３から空気を吸うことで、プラテン下ダクト１１内の気圧を低くし、記録媒体２５をプラテン６に吸着させる。図７では、プラテン６の紙面左側の部分の空気の流れを示している。右側部分の同様の構成である。また、プラテン６の幅が小さければ、図のように左右に分けずに、プラテン６の全幅に亘り一つ構成としても良い。
【００３４】
吸引孔３３から吸引ファン１７によって吸われた空気は、フィルター１６を通ることでインクミストやゴミが除去される。切換手段１４によってダクト１２へ供給吸する空気を、筐体２内部からか、外部からかを切換える。加熱手段１８によって空気が加熱される。ダクト１２はノズル２４毎に根元から分かれている。根元が共通で、ダクト１２の途中から分かれても良い。夫々のダクト１２の空気抵抗が一定になる様にダクト１２に抵抗体を設け、夫々のノズル２４から均等に空気が排出されるようにしている。例えば、抵抗体はダクトの内径を狭める凸部を設けたものである。
【００３５】
また、ノズル２４毎に、弁を設け、この弁を制御回路４１によって制御して、記録媒体２５が覆っていない部分に係るノズル２４のみから空気を排出するようにすることが好ましい。主にプラテン６が冷やされるのは記録媒体２５が覆っていない部分なので、この部分に加熱した空気を供給することで冷めにくくする。また、記録媒体２５に向かう空気の流れを防止し、風によるインクの吐出方向の乱れを防止する。また、フィルター１６を配置することで、インクミスト等で汚れた空気が再度筐体２内に入らないようにしている。
【００３６】
図８は、インクジェットプリンターの外観図である。インクジェットプリンター１は、筐体２を脚部５２で支えている。脚部５２は筐体２の下面の両端方に固定される。フロントペーパーガイド２９に沿って、記録媒体２５は矢印５３で示される方向に排出される。また、筐体２の下部には、外気吸入手段２０、２２と排気手段２１、２３が設けられている。
【産業上の利用可能性】
【００３７】
本発明はインクジェットプリンターに利用できる。特に幅広の記録媒体に記録する大型のインクジェットプリンターに利用できる。
【符号の説明】
【００３８】
１  インクジェットプリンター
２  筐体
３  レール
４  キャリッジ
５  記録ヘッド
６  プラテン
７  ベルト
８  モーター
９  プーリー
１０  リニアスケール
１１  プラテン下ダクト
１２  ダクト
１３  ダクト
１４  切換手段
１５  切換手段
１６  フィルター
１７  吸引ファン
１８  加熱手段
１９  加熱手段
２０  外気吸入手段
２１  排気手段
２２  外気吸入手段
２３  排気手段
２４  ノズル部
２５  記録媒体
【図１】
2015136859.tif 000003
【図２】
2015136859.tif 000004
【図３】
2015136859.tif 000005
【図４】
2015136859.tif 000006
【図５】
2015136859.tif 000007
【図６】
2015136859.tif 000008
【図７】
2015136859.tif 000009
【図８】
2015136859.tif 000010